(57)【要約】【課題】重機を要せずに基礎架台の設置や回収が可能になり、しかも、各部材の運搬も合理的且つ容易に行える太陽電池モジュール用置き基礎架台を提供する。【解決手段】コンクリートで形成され相互に連結自在な置き基礎１０を設ける。平坦な地面に並べて連結された置き基礎１０の上面に連結された支持枠２０を設ける。太陽電池モジュールＰを支持枠２０の上部に連結する固定枠３０を設ける。置き基礎１０に、コンクリート製の板状を成す基礎板１１を備える。該基礎板１１の上面にスリット状のスライド連結溝１３を形成する。連結ボルト１２の頭部をスライド連結溝１３にスライド嵌入する。置き基礎１０の上面に立設された連結ボルト１２に固定金具２４を連結する。該固定金具２４に支柱２１をネジ止めする。【選択図】図１
0003184704.tif 000002
【実用新案登録請求の範囲】
【請求項１】
複数の太陽電池モジュールを平坦な地面に置き基礎で設置する太陽電池モジュール用置き基礎架台において、コンクリートで形成され相互に連結自在な置き基礎と、平坦な地面に並べて連結された置き基礎の上面に連結された支持枠と、太陽電池モジュールを支持枠の上部に連結する固定枠とで構成されたことを特徴とする太陽電池モジュール用置き基礎架台。
【請求項２】
前記置き基礎は、コンクリート製の板状を成す基礎板を備え、該基礎板の上面にスリット状に形成され、連結ボルトの頭部をスライド嵌入せしめるスライド連結溝と、各基礎板の側面及び上面に設けた複数の連結孔と、隣接する基礎板の連結孔相互に架設する連結プレートと、該連結プレートを各基礎板の連結孔にネジ止めする接続ボルトとを備えた請求項１記載の太陽電池モジュール用置き基礎架台。
【請求項３】
前記支持枠は、断面Ｌ字形状を成す支柱と、これら支柱の左右両側部に連結する断面Ｌ字形状を成す左右ブレースと、支柱の前後側部に連結する帯板状の前後ブレースと、前記置き基礎の上面に立設された前記連結ボルトに連結される固定金具とで構成され、該固定金具に前記支柱をネジ止めするように構成した請求項１記載の太陽電池モジュール用置き基礎架台。
【請求項４】
前記固定枠は、前記支持枠の上端部に連結される連結杆体と、該連結杆体の上面に固定され前記太陽電池モジュールを支持する支持杆体とで構成され、連結杆体は、断面Ｌ字形状を成した金属材で形成され、支持杆体は、断面コ字状の金属材にて形成した請求項１記載の太陽電池モジュール用置き基礎架台。
【考案の詳細な説明】
【技術分野】
【０００１】
本考案は、太陽電池モジュールを野立てで設置するために使用する太陽電池モジュール用置き基礎架台に関するものである。
【背景技術】
【０００２】
太陽電池モジュールを地上の空き地など平坦な場所に設置する場合、例えば特許文献１に示される如く、施工する部分の地面を掘削してコンクリート基礎を打設し、このコンクリート基礎に太陽電池アレイ架台を受けるＨ鋼チャンネルベースを固定する工法やアンカー等を打込む工法が採用されていた。
【０００３】
ところが、地盤にコンクリート基礎を打設する工法やアンカーを打込む工法では、地面を掘削する工程や打ち込み用の重機を使用するなど、多くの労力を要するので、置き基礎により架台を設置する太陽電池パネル装置の基礎架台構造が特許文献２に提案されている。
【０００４】
この置き基礎を利用した基礎架台構造は、複数の断面逆Ｔ字状ブロックと、これら逆Ｔ字状ブロックのベース部相互を連結する連結構造とを備えた架台である。そして、設置面上に複数の逆Ｔ字状ブロックを配置してそれらのベース部相互を連結構造で連結するだけで、簡単に基礎架台構造を構築して太陽電池パネル装置を支持することができるというものである。
【先行技術文献】
【特許文献】
【０００５】
【特許文献１】特開平７‐１８３５５７号公報
【特許文献２】実用新案登録第３１６５８８４号公報
【考案の概要】
【考案が解決しようとする課題】
【０００６】
ところが、特許文献２に記載の基礎架台構造は、重量のあるコンクリート製の断面逆Ｔ字状ブロックと、コンクリート製の連結構造とを貫通する鉄筋にて連結する構成を採用しているので、これら断面逆Ｔ字状ブロックと連結構造との連結作業に多くの手間を要するものであった。しかも、基礎架台構造の全体がコンクリートで形成されているので、置き基礎として充分な重量が得られるとしても、各部材の運搬や移動に重機が必要になるものであった。
【０００７】
したがって、太陽電池モジュールを地上の空き地など平坦な場所に設置する場合、従来では、重機を使用して地面を掘削しコンクリートを打設して基礎架台を構築するか、あるいは、コンクリート製の部材を重機で搬入しこれらを連結して基礎架台を構築する工法などから選択することになる。いずれにしても重機は必要になり、各部材の運搬にも多くの手間を要するものであった。
【０００８】
そこで、本考案は上述の架台を解消すべく案出されたもので、重機を要せずに基礎架台の設置や回収が可能になり、しかも、各部材の運搬も合理的且つ容易に行える太陽電池モジュール用置き基礎架台の提供を目的とするものである。
【課題を解決するための手段】
【０００９】
上述の目的を達成すべく本考案の第１の手段は、複数の太陽電池モジュールＰを平坦な地面に置き基礎で設置する太陽電池モジュール用置き基礎架台において、コンクリートで形成され相互に連結自在な置き基礎１０と、平坦な地面に並べて連結された置き基礎１０の上面に連結された支持枠２０と、太陽電池モジュールＰを支持枠２０の上部に連結する固定枠３０とで構成されたものである。
【００１０】
第２の手段において、前記置き基礎１０は、コンクリート製の板状を成す基礎板１１を備え、該基礎板１１の上面にスリット状に形成され連結ボルト１２の頭部をスライド嵌入せしめるスライド連結溝１３と、各基礎板１１の側面及び上面に設けた複数の連結孔１４と、隣接する基礎板１１の連結孔１４相互に架設する連結プレート１５と、該連結プレート１５を各基礎板１１の連結孔１４にネジ止めする接続ボルト１６とを備えたことにある。
【００１１】
第３の手段において、前記支持枠２０は、断面Ｌ字形状を成す支柱２１と、これら支柱２１の左右両側部に連結する断面Ｌ字形状を成す左右ブレース２２と、支柱２１の前後側部に連結する帯板状の前後ブレース２３と、前記置き基礎１０の上面に立設された前記連結ボルト１２に連結される固定金具２４とで構成され、該固定金具２４に前記支柱２１をネジ止めするように構成している。
【００１２】
第４の手段において、前記固定枠３０は、前記支持枠２０の上端部に連結される連結杆体３１と、該連結杆体３１の上面に固定され前記太陽電池モジュールＰを支持する支持杆体３２とで構成され、連結杆体３１は、断面Ｌ字形状を成した金属材で形成され、支持杆体３２は、断面コ字状の金属材にて形成したものである。
【考案の効果】
【００１３】
本考案の請求項１のごとく、コンクリートで形成され相互に連結自在な置き基礎１０と、平坦な地面に並べて連結された置き基礎１０の上面に連結された支持枠２０と、太陽電池モジュールＰを支持枠２０の上部に連結する固定枠３０とで構成したことで、置き基礎１０や支持枠２０、固定枠３０等の部材を個別に搬送し、設置することが可能になった。この結果、重機を要せずに基礎架台の設置や回収が可能になり、しかも、各部材の運搬も合理的且つ容易に行えるものである。
【００１４】
請求項２のごとく置き基礎１０を構成したことにより、基礎板１１相互の連結作業や、連結された基礎板１１上に支持枠２０を設置する作業を簡略化することができる。しかも、地盤を掘削する必要がないので、太陽電池モジュールＰを撤収した後でも地盤のダメージがない。この結果、地盤にコンクリートを埋設する従来の架台のように、地盤を埋め戻すなどの必要がないので、省エネ効果を有するものである。
【００１５】
請求項３のように支持枠２０を構成したことで、支持枠２０の部品点数を少なくすることができる。しかも、支柱２１や左右ブレース２２は同じ断面Ｌ字形状を成す部材であるから、これらの部材を積み重ねることができる。したがって、部材の運搬や収納が合理化される効果がある。
【００１６】
請求項４の固定枠３０のように、同じ断面コ字状の金属材にて連結杆体３１と支持杆体３２とを形成したことで、共通部材が多くなり、使用する各部品を共通の部材で形成することが可能になった。この結果、製造コストを下げると共に、各部材を重ねて合理的に運搬できるという利点もある。
【図面の簡単な説明】
【００１７】
【図１】本考案の使用状態を示す斜視図である。
【図２】本考案の使用状態を示す側面図である。
【図３】本考案の使用状態を示す平面図である。
【図４】本考案の固定金具の一実施例を示す斜視図である。
【図５】本考案の前後ブレースの連結部位を示す正面図である。
【考案を実施するための形態】
【００１８】
このように本考案によると、重機を要せずに基礎架台の設置や回収が可能になり、しかも、各部材の運搬も合理的且つ容易に行えるなどといった当初の目的を達成した。
【００１９】
以下、本考案置き基礎架台の一実施例を説明する。本考案置き基礎架台は、空き地等の平坦な設置面に、置き基礎で設置する太陽電池モジュールＰを設置する架台である（図１参照）。本考案置き基礎架台を構成する主な部材は、置き基礎１０、支持枠２０、固定枠３０にて構成される。
【００２０】
置き基礎１０は、コンクリートで形成され相互に連結自在に構成されている。図示の置き基礎１０は、コンクリート製の板状を成す基礎板１１を備えている（図２、図３参照）。この基礎板１１の上面には、スリット状を成し、連結ボルト１２の頭部をスライド嵌入せしめるスライド連結溝１３が形成されている（図１参照）。このスライド連結溝１３の側面開口部から連結ボルト１２の頭部をスライド連結溝１３内に挿入し、連結ボルト１２を立設した状態で適当な位置までスライド移動する。そして、この立設した連結ボルト１２に、後述する支持枠２０を連結するものである。
【００２１】
また、各基礎板１１の側面及び上面には、複数の連結孔１４が形成され、この連結孔１４内に雌ネジ状のインサートが埋設されている（図１参照）。そして、隣接する基礎板１１の連結孔１４相互に架設する連結プレート１５を設け、各連結プレート１５を各基礎板１１の連結孔１４に接続ボルト１６でネジ止めする（図２参照）。このように、連結プレート１５と接続ボルト１６を用いることで、複数の基礎板１１を自由に連結することが可能になる。
【００２２】
支持枠２０は、平坦な地面に並べて連結された置き基礎１０の上面に連結される部材である（図１参照）。この支持枠２０は、更に、支柱２１、左右ブレース２２、前後ブレース２３、固定金具２４にて構成されている。
【００２３】
支柱２１は、断面Ｌ字形状を成し、後述する固定金具２４を介して置き基礎１０の上面にネジ止めされる部材である（図１、図２参照）。左右ブレース２２は、支柱２１に太陽電池モジュールＰを設置したときの左右両側部に連結して補強する部材である（図２参照）。この左右ブレース２２も支柱２１と同様に断面Ｌ字形状を成している。
【００２４】
前後ブレース２３は、支柱２１の前後側部に連結する帯板状の部材で、前後の強度を高めている（図１参照）。図示例では、断面Ｌ字形状を成した支柱２１の前側面と、後側面とに一対の前後ブレース２３を配し、これらの前後ブレース２３で支柱２１を挟み込むように連結している（図５参照）。
【００２５】
固定金具２４は、置き基礎１０の上面に支持枠２０を連結する部材である。この固定金具２４は、置き基礎１０のスライド連結溝１３に予め挿入して立設した連結ボルト１２に連結されるもので、置き基礎１０に固定した固定金具２４の側面に支持枠２０の支柱２１をネジ止めする（図１参照）。
【００２６】
図示の固定金具２４は、金属板を屈曲して形成した一対の重なる底板２４Ａと、各底板２４Ａから上方に向けて屈曲形成され平面Ｌ字状を成す側板２４Ｂとで構成されている（図４参照）。そして、底板２４Ａを貫通する連結孔２４Ｃに置き基礎１０から連結ボルト１２を挿通して連結する（図１参照）。更に、各側板２４Ｂを貫通する接続孔２４Ｄに接続ボルト２５を挿通して支柱２１を接続する。
【００２７】
固定枠３０は、支持枠２０の上端部に連結される連結杆体３１と、該連結杆体３１の上面に固定され前記太陽電池モジュールＰを支持する支持杆体３２とで構成されている（図２参照）。そして、連結杆体３１は、支柱２１と同じ断面Ｌ字形状を成した金属材で形成し、この支柱２１と重ねて運搬できるようにしている。一方、支持杆体３２は、断面コ字状の金属材にて形成し、この支持杆体３２の上に太陽電池モジュールＰを載置して固定ボルト３３にて固定する。
【００２８】
尚、本考案の各構成は図示例に限定されるものではなく、本考案の要旨を変更しない範囲において自由に変更できるものである。
【符号の説明】
【００２９】
Ｐ  太陽電池モジュール
１０  置き基礎
１１  基礎板
１２  連結ボルト
１３  スライド連結溝
１４  連結孔
１５  連結プレート
１６  接続ボルト
２０  支持枠
２１  支柱
２２  左右ブレース
２３  前後ブレース
２４  固定金具
２４Ａ  底板
２４Ｂ  側板
２４Ｃ  連結孔
２４Ｄ  接続孔
２５  接続ボルト
３０  固定枠
３１  連結杆体
３２  支持杆体
３３  固定ボルト
【図１】
0003184704.tif 000003
【図２】
0003184704.tif 000004
【図３】
0003184704.tif 000005
【図４】
0003184704.tif 000006
【図５】
0003184704.tif 000007